(57)【要約】      （修正有）【課題】本考案の露先または後付露先用補助部品を長傘に取り付けることにより長傘を畳む際に露先が十分に長いために濡れた生地を掴まずとも束ねることが容易となり、胴ネームや口ネームにて留めやすくなる。【解決手段】長傘の親骨４の先端には露先２０が取り付けられており、傘の生地６は露先の孔１５を通してミシン糸１２により縫合されており孔１５の中心から露先先端までの距離Ｂを２．５ｃｍとしている。【選択図】図４
0003223956.tif 000002
【実用新案登録請求の範囲】
【請求項１】
傘生地と露先を固定するために露先に具備された縫合穴の中心から前記露先の先端部までの長さが１．６ｃｍ以上３．５ｃｍ以下となるような露先
【請求項２】
露先に取り付ける補助部品であって、前記補助部品を露先に取り付けた場合に前記露先に具備された縫合穴の中心から当該補助部品の先端部までの長さが１．６ｃｍ以上３．５ｃｍ以下となるような後付露先用補助部品
【請求項３】
前記露先に取り付ける補助部品がキャップ構造であることを特徴とする請求項２に記載の露先用補助部品
【考案の詳細な説明】
【技術分野】
【０００１】本考案は、雨に濡れた状態にある長傘を畳む際に雨滴で手が汚れることを防止することを可能とする長傘用の露先又は露先用補助部品に関する。
【背景技術】
【０００２】本来の長傘の畳み方は、第一ステップとして下ロクロを持って軽く２、３回長傘の生地を開閉させ、第二ステップとして露先を持ち、生地を掴んで１枚１枚中棒に巻き、最後に胴ネームでとめるようにするとされている。しかし、雨で濡れた雨傘を折り畳む際には多くの使用者は生地を手掴みし中棒に巻き付ける行為をするために雨滴で手が濡れてしまい不快な思いをしている。【０００３】上述したような問題点に鑑み、雨滴で手が濡れないように長傘を畳む手法が多数提案されている。古くは、長傘の親骨が広がらないように長傘のハンドル部等に玉留を具備させる技術があり、当該玉留の改善技術として特許文献１や特許文献２に記載されている。【０００４】一方で、特許文献３は開口部を備えることおよびその形状が巻き取られた傘に対して締め付けの作用が得られることにより傘の布地を巻き取った状態を維持できる傘巻き取りリング、特許文献４には傘を畳んだ際の傘の外周径より若干大きくなる径の内周円と外周円とを有して環状とすると共に、該内周円の一方側の上方角部を丸くし、かつ他方側の下方角部を鋭角に形成したことを特徴とするとし前記内周円に下側に向かって湾曲して内周側に膨らむようになる膨出部を傘の骨の数に対応した数形成した傘用束ねリングが提案されている。
【先行技術文献】
【特許文献】
【０００５】
【特許文献１】実開昭４８−０３００５７号公報
【特許文献２】実開昭５８−１２９８１４号公報
【特許文献３】実用登録第３０４０５７７号公報
【特許文献４】特開平０９−３７８２６号公報
【考案の概要】
【考案が解決しようとする課題】
【０００６】玉留については、傘の生地が広がらないように露先先端部を留めるには便利な補助部品であるが、当該部品の大きさにより比較的大きな手元でないと取り付けが難しく、女性向けには不向きと言われている。一方で、リングについては傘生地を直接手で掴み中棒に巻き付ける動作は行わないために手の濡れは大幅に低減するが、長傘を広げる際には当該リングを取り外す必要があり紛失させる恐れがある。特許文献には記載していないがリングに紐を通し手元に巻き付けている商品もあるが長傘を広げている時に紐に巻き付けたリングが揺れ動くためにファッション性に問題があり女性向けには適していない。上述の如く、リングを携帯している使用者を見たことがない。【０００７】上述したように本来の長傘の畳み方は、下ロクロを持って軽く２、３回長傘の生地を開閉させた後に露先を持ち、生地を掴んで１枚１枚中棒に巻き、最後に胴ネームでとめるようにするとされているが、長傘を閉じた状態でも親骨は若干広がっており露先の長さが十分でないために束ね難く、そのために濡れた生地を手掴みし中棒に巻き付ける行為をしている。【０００８】
【課題を解決するための手段】
【０００９】上記課題に鑑み、考案者は誠意工夫の結果、第一の形態として傘生地と露先を固定するために露先に具備された縫合穴の中心から前記露先の先端部までの長さが１．６ｃｍ以上３．５ｃｍ以下、好ましくは２．０ｃｍ以上３．０ｃｍ以下となるような露先としている。【００１０】第二の形態に於いては、露先に取り付ける補助部品であって前記補助部品を露先に取り付けた場合に前記露先に具備された縫合穴の中心から当該補助部品の先端部までの長さが１．６ｃｍ以上３．５ｃｍ以下、好ましくは２．０ｃｍ以上３．０ｃｍ以下となるような露先用補助部品としており、前記露先に取り付ける補助部品がキャップ構造である。【００１１】露先の長さを限定した理由として、濡れた傘生地を触ることなく露先を束ねるには１．６ｃｍ以上必要であり、３．５ｃｍより長くなると露先と手元の干渉を避けるために中棒を長くする必要があることスタイリッシュでなくなることや露先と手元の干渉を避けるために中棒を長くする必要が生じるためである。【００１２】第一の形態および第二の形態により、濡れた長傘を畳む際に露先が十分に長いために生地を掴まずとも束ねることが容易となり、胴ネームや口ネームにて留めやすくなる。
【考案の効果】
【００１３】本考案の露先は、雨に濡れた長傘に対して極力手を濡らさずに傘生地を畳むことを基本とし、女性向けとしてもスタイリッシュな外観となる。
【図面の簡単な説明】
【００１４】
【図１】長傘を広げた時の骨組の一部を示す外観図
【図２】図１記載の長傘の露先部の拡大図
【図３】本考案の露先を取り付けた長傘を広げた時の骨組の一部を示す外観図
【図４】図３記載の本考案である長傘の露先部の拡大図
【図５】後付露先用補助部品を長傘の露先部に取り付ける状況を示す拡大図
【図６】図４記載の露先が取り付けられた長傘の手元部の拡大図
【考案を実施するための形態】
【００１５】以下、図面を参照しつつ、本考案の実施の形態について説明する。
【実施例】
【００１６】図１は、長傘を広げた時の骨組の一部を示す外観図である。当該長傘の基本構造は、中棒１に取り付けられた手元２と、中棒１に挿入されスライド移動し受骨５を束ねる下ロクロ３と、図示していないが親骨４を束ねる上ロクロと、だぼ７により受骨５と親骨４が繋がっている。図２は図１記載の長傘の露先部の拡大図であり、親骨４の先端には孔１５を具備した露先１０が取り付けられており、傘の生地６は露先の孔１５を通してミシン糸１２により前記露先１０に縫合されている。一般的な長傘について露先の孔１５の中心から前記露先先端までの距離Ａは１ｃｍから１．５ｃｍ程度となっている。【００１７】図３は、本考案の第一形態の一例であり、本考案の露先２０を取り付けた長傘を広げた時の骨組の一部を示す外観図、図４は図３記載の本考案である長傘の露先部の拡大図を示す。親骨４の先端には孔１５を具備した露先２０が取り付けられており、傘の生地６は露先の孔１５を通してミシン糸１２により前記露先１０に縫合されている。本考案である露先の孔１５の中心から前記露先先端までの距離Ｂは２．５ｃｍとしている。【００１８】図５は本考案の第二形態の一例であり、後付露先用補助部品３０を長傘の露先１０に取り付ける前の状況を示す拡大図を示す。本考案である露先３０は、市販の長傘の露先１０に嵌め込むための孔を備えており図５に示した矢印の方向に当該露先１０の孔１５又はミシン糸１２の領域まで挿入させ固定させる。【００１９】図６は、図４記載の露先が取り付けられた長傘の手元部の拡大図を示す。傘生地を束ねた際に露先２０と手元２との干渉する領域において前記手元の直径を僅かに小さくすることにより、傘生地を束ねた際に露先部が手元から大きく飛び出すことを防止できる。
【符号の説明】
【００２０】１        中棒
２        手元
３        下ロクロ
４        親骨
５        受骨
６        生地
７        だぼ
１０      露先
１２      ミシン糸
１５      孔
２０      本考案の露先
３０      本考案の露先用補助部品
４０      本考案の変形例である後付露先用補助部品
Ａ        露先の孔の中心から露先先端までの距離
Ｂ        本考案の露先の孔の中心から露先先端までの距離
【図１】
0003223956.tif 000003
【図２】
0003223956.tif 000004
【図３】
0003223956.tif 000005
【図４】
0003223956.tif 000006
【図５】
0003223956.tif 000007
【図６】
0003223956.tif 000008